(57)【要約】【課題】取出し具を容易に取出せるように収容可能な取出し具付き容器を提供する。【解決手段】内容器２と、取出し具６と、収容部９を備える外容器３と、外容器３に対して周方向に内容器２と共回りする底蓋４とを有し、収容部９が、取出し具６の先端部６ａが下方に挿入される挿入口８を有するとともに、取出し具６の基端部６ｂを挿入口８から上方に突出させた状態で取出し具６の先端部６ａを収容し、底蓋４が、外容器３に対する相対的な周方向の底蓋４の回転によって収容部９に収容された取出し具６の先端部６ａを押上げるように周方向に向かって上下方向に傾く上下方向傾斜面１０を有することを特徴とする取出し具付き容器１。【選択図】図２
2020183236.tif 000002
【特許請求の範囲】
【請求項１】
内容物を収容する有底筒状の内容器と、前記内容物を取出すための取出し具と、該取出し具の先端部を収容する収容部を備えるとともに前記内容器を周方向に囲繞する外容器と、該外容器に対して前記周方向に前記内容器と共回りする底蓋とを有し、
前記収容部が、前記取出し具の前記先端部が下方に挿入される挿入口を有するとともに、前記取出し具の基端部を前記挿入口から上方に突出させた状態で前記取出し具の前記先端部を収容し、
前記底蓋が、前記外容器に対する相対的な前記周方向の前記底蓋の回転によって前記収容部に収容された前記取出し具の前記先端部を押上げるように前記周方向に向かって上下方向に傾く上下方向傾斜面を有することを特徴とする取出し具付き容器。
【請求項２】
前記底蓋が、前記外容器に対する相対的な前記周方向の前記底蓋の回転によって前記収容部に収容された前記取出し具の前記先端部を径方向内側に押し込むように前記周方向に向かって径方向に傾く径方向傾斜面をさらに有する、請求項１に記載の取出し具付き容器。
【請求項３】
前記取出し具が、前記挿入口に係止される被係止部を有する、請求項１または２に記載の取出し具付き容器。
【請求項４】
前記取出し具が、長手方向軸線に沿って延在する溝を有する細長い板状をなす、請求項３に記載の取出し具付き容器。
【請求項５】
前記挿入口から突出した前記取出し具の前記基端部を覆うように前記外容器に取外し可能に装着される上蓋をさらに有する、請求項１〜４の何れか１項に記載の取出し具付き容器。
【発明の詳細な説明】
【技術分野】
【０００１】
本発明は、取出し具付き容器に関する。
【背景技術】
【０００２】
化粧品や食品等のクリーム状やジェル状等の内容物を収容する容器として、内容物を取出すためのスパチュラ（へら）や匙等の取出し具を有するものが知られている。例えば特許文献１に記載される取出し具付き容器は、取出し具を不使用時に容器本体に保持しておくための保持具を有している。取出し具を容器本体に保持しておくことで、取出し具の紛失を防止することができる。
【先行技術文献】
【特許文献】
【０００３】
【特許文献１】特開２００４−３３１１０５号公報
【発明の概要】
【発明が解決しようとする課題】
【０００４】
特許文献１に記載されるような取出し具付き容器では、取出し具における内容物と接する部分となる先端部が露出した状態で容器本体に保持されるので、当該先端部が汚れ易く、使用前の清掃の手間が増える虞がある。また、容器本体内に中蓋を設けて当該中蓋に取出し具を収容する構成としたものも知られているが、一般的に、取出し具における摘み部となる基端部が摘み難く、中蓋から取出し具を取出し難いことが多い。
【０００５】
本発明は、このような問題点を解決することを課題とするものであり、その目的は、取出し具を容易に取出せるように収容可能な取出し具付き容器を提供することにある。
【課題を解決するための手段】
【０００６】
本発明の取出し具付き容器は、内容物を収容する有底筒状の内容器と、前記内容物を取出すための取出し具と、該取出し具の先端部を収容する収容部を備えるとともに前記内容器を周方向に囲繞する外容器と、該外容器に対して前記周方向に前記内容器と共回りする底蓋とを有し、前記収容部が、前記取出し具の前記先端部が下方に挿入される挿入口を有するとともに、前記取出し具の基端部を前記挿入口から上方に突出させた状態で前記取出し具の前記先端部を収容し、前記底蓋が、前記外容器に対する相対的な前記周方向の前記底蓋の回転によって前記収容部に収容された前記取出し具の前記先端部を押上げるように前記周方向に向かって上下方向に傾く上下方向傾斜面を有することを特徴とする。
【０００７】
本発明の取出し具付き容器は、上記構成において、前記底蓋が、前記外容器に対する相対的な前記周方向の前記底蓋の回転によって前記収容部に収容された前記取出し具の前記先端部を径方向内側に押し込むように前記周方向に向かって径方向に傾く径方向傾斜面をさらに有するのが好ましい。
【０００８】
本発明の取出し具付き容器は、上記構成において、前記取出し具が、前記挿入口に係止される被係止部を有するのが好ましい。
【０００９】
本発明の取出し具付き容器は、上記構成において、前記取出し具が、長手方向軸線に沿って延在する溝を有する細長い板状をなすのが好ましい。
【００１０】
本発明の取出し具付き容器は、上記構成において、前記挿入口から突出した前記取出し具の前記基端部を覆うように前記外容器に取外し可能に装着される上蓋をさらに有するのが好ましい。
【発明の効果】
【００１１】
本発明によれば、取出し具を容易に取出せるように収容可能な取出し具付き容器を提供することができる。
【図面の簡単な説明】
【００１２】
【図１】本発明の一実施の形態に係る取出し具付き容器を示す縦断面図である。
【図２】図１に示す状態から上蓋を取外した状態の取出し具付き容器を９０°異なる方向から視た部分断面側面図である。
【図３】図２に示す外容器の上面図である。
【図４】図２に示す底蓋の上面図である。
【図５】図２に示す状態から底蓋を内容器と共回りさせたときの状態を示す部分断面側面図である。
【図６】図５に示す状態の取出し具付き容器を９０°異なる方向から視た縦断面図である。
【図７】取出し具の変形例を示す図であり、（ａ）は平面図、（ｂ）は（ａ）のＡ−Ａ線に沿って視た断面図である。
【図８】取出し具の他の変形例を示す図であり、（ａ）は平面図、（ｂ）は（ａ）のＢ−Ｂ線に沿って視た断面図である。
【発明を実施するための形態】
【００１３】
以下、図面を参照しつつ本発明をより具体的に例示説明する。
【００１４】
図１に示す本実施の形態に係る取出し具付き容器１は、内容器２、外容器３、底蓋４、上蓋５及び取出し具６で構成されている。内容器２、外容器３及び底蓋４で容器本体７が構成されており、容器本体７の口部７ａが上蓋５によって開閉される。
【００１５】
図１〜図２に示すように、内容器２は、軸心Ｏを有する有底円筒状をなすとともにその内側に図示しない内容物を収容している。内容器２は、円筒状の筒壁２ａと、この筒壁２ａの下端に一体に連なるとともにこの下端を閉塞する底壁２ｂとを有している。筒壁２ａの上端部には、筒壁２ａより径方向外側に位置する下端面を有する内口部２ｃが一体に設けられている。内口部２ｃは筒壁２ａの上端部が径方向外側に折返された形状を有しており、内容器２を外容器３に対して相対回転させる際の把持部として機能することができる。底壁２ｂの下面には、軸心Ｏと同心であり筒壁２ａより小径の円筒状をなす嵌合筒２ｄが一体に設けられている。
【００１６】
本明細書及び特許請求の範囲において、上下方向とは、取出し具付き容器１を正立状態としたときの上下方向（容器本体７から上蓋５に向かう方向を上方、その反対側を下方とする）を意味するものとし、周方向とは、内容器２、外容器３及び底蓋４の共通の軸心Ｏを周回する方向を意味するものとし、径方向とは、軸心Ｏと直交する方向を意味するものとし、縦断面とは、軸心Ｏを含む断面を意味するものとする。
【００１７】
図１〜図３に示すように、外容器３は、内容器２の筒壁２ａの径方向外側で筒壁２ａに沿って延在する円筒状の内周壁３ａと、内周壁３ａの下端に一体に連なるとともに径方向内側に延在する円環状の内向きフランジ３ｂと、内周壁３ａの上端に一体に連なるとともに径方向外側に延在する上面視Ｃ字形状のフランジ３ｃと、フランジ３ｃの外周縁に一体に垂設された中間周壁３ｄと、中間周壁３ｄの下端から拡径する環状の段部３ｅを介して一体に垂設された円筒状の外周壁３ｆとを有する。Ｃ字形状のフランジ３ｃの互いに対向する両端部には、段部３ｅまで斜め下方に延在する一対の傾斜壁３ｇが一体に設けられている。一対の傾斜壁３ｇは、下方に向けて互いに接近するように傾斜している。つまり、中間周壁３ｄは、一対の傾斜壁３ｇの間が切り欠かれた形状となっている。段部３ｅから一対の傾斜壁３ｇの下端部間に跨る部分には、取出し具６の先端部６ａが下方に挿入される挿入口８が設けられている。挿入口８は、上面視で周方向に沿って延在する帯形状をなしている。挿入口８の周方向両端部には、一対の規制リブ８ａが一体に垂設されている。一対の規制リブ８ａは、例えば、外周壁３ｆ及び内周壁３ａの何れか一方または両方に一体に設けることができる。内周壁３ａの上端部、フランジ３ｃ、一対の傾斜壁３ｇ及び中間周壁３ｄで外口部３ｈが構成されている。内口部２ｃの下端面が外口部３ｈの上面に沿うように配置されており、内口部２ｃと外口部３ｈとで容器本体７の口部７ａが構成されている。
【００１８】
挿入口８の周縁部と、この周縁部から下方に延在する外周壁３ｆ及び一対の規制リブ８ａとにより、取出し具６の収容部９が構成されている。挿入口８には、取出し具６の先端部６ａが下方に挿入される。収容部９は、取出し具６の基端部６ｂを挿入口８から上方に突出させた状態で取出し具６の先端部６ａを収容している。取出し具６の先端部６ａの下端面は底蓋４の底板４ａの上面に載置されている。また、このとき、取出し具６の基端部６ｂの上端面は、内口部２ｃの上面より下方に位置している。
【００１９】
図１、図２及び図３に示すように、底蓋４は、円板状の底板４ａを有し、この底板４ａの上面には、内容器２の嵌合筒２ｄと嵌合する円筒状の取付け筒４ｂが一体に設けられている。取付け筒４ｂの内周面は、嵌合筒２ｄの外周面とアンダーカット係合を介して嵌合しており、この嵌合により内容器２と底蓋４とが互いに対して上下方向に抜け止めされている。また、取付け筒４ｂは周方向の２箇所に切欠き４ｃを有しており、これらの切欠き４ｃには、それぞれ嵌合筒２ｄの外周面に一体に設けられた回り止めリブ２ｅが挿入されている。この回り止めリブ２ｅと切欠き４ｃとの係合により、内容器２と底蓋４とが外容器３に対して共回りするようになっている。したがって、使用者は、例えば、外容器３と内口部２ｃとをそれぞれ把持して相対回転させる回転操作により、外容器３に対して内容器２及び底蓋４を共回りさせることができる。なお、内容器２と底蓋４とを共回りさせるための構成はこのような回り止めリブ２ｅと切欠き４ｃとを用いたものに限らず、適宜変更が可能である。底板４ａの外周縁には、外容器３の外周壁３ｆの内周面に沿って延在する円筒状の外筒４ｄが一体に立設されている。外筒４ｄの外周面は、外容器３の外周壁３ｆの内周面とアンダーカット係合しており、これにより外筒４ｄと外周壁３ｆとが互いに上下方向に抜け止めされている。
【００２０】
図１に示すように、上蓋５は、内口部２ｃと挿入口８から突出した取出し具６の基端部６ｂとを覆うように外容器３にねじ係合により取外し可能に装着されるように構成されている。上蓋５は、外容器３の外周壁３ｆの外径と同等の外径を有する円筒状の側壁５ａと、側壁５ａの上端に一体に連なるとともにこの上端を閉塞する頂壁５ｂとを有している。側壁５ａの内周面には雌ねじ５ｃが一体に設けられており、この雌ねじ５ｃが、外口部３ｈの外周面に一体に設けられた雄ねじ３ｉと螺合している。側壁５ａの内周面における上端部には、頂壁５ｂの下面に沿って配置されたパッキン５ｄの外周縁が嵌合によって取付けられている。
【００２１】
図２、図４及び図５に示すように、底蓋４は、外容器３に対する相対的な周方向の底蓋４の回転によって収容部９に収容された取出し具６の先端部６ａを押上げるように周方向に向かって上下方向に傾く６つの上下方向傾斜面１０を有している。本実施の形態では、６つの上下方向傾斜面１０はそれぞれ、外容器３に対する相対的な左回り方向（上面視反時計回り方向）の底蓋４の回転によって収容部９に収容された取出し具６の先端部６ａを押上げるように左回り方向に向かって下方に傾いている。底板４ａの外周縁には、周方向に等しい間隔で並ぶ６つの上面視円弧状のリブ１１が一体に設けられており、各リブ１１の上端面によって上下方向傾斜面１０が形成されている。なお、図４においては、便宜上、１つのリブ１１及び上下方向傾斜面１０のみに符号を付している。
【００２２】
各上下方向傾斜面１０は、図２に示すように取出し具６の先端面が底板４ａに載置された収容状態からの外容器３に対する相対的な周方向の底蓋４の回転により、取出し具６の先端面を押上げて、図５に示すように取出し具６の基端部６ｂが内口部２ｃの上面から上方に突出するまで押上げられた取出し準備状態とすることができる。また、このとき、一対の規制リブ８ａにより、取出し具６が上方にスライドするように取出し具６を案内することができる。一対の規制リブ８ａは、６つの上下方向傾斜面１０のうちの１つが取出し具６を押上げるときに、周方向の取出し具６の傾斜を規制し、それにより取出し具６の確実な上昇を可能にする案内部を構成している。本実施の形態では、このような案内部は、挿入口８と一対の規制リブ８ａとで構成されているが、これに限らない。取出し具６の形状等によっては、案内部を挿入口８のみで構成してもよい。
【００２３】
また、図４及び図６に示すように、底蓋４は、外容器３に対する相対的な周方向の底蓋４の回転によって収容部９に収容された取出し具６の先端部６ａを径方向内側に押し込むように周方向に向かって径方向に傾く６つの径方向傾斜面１２をさらに有している。本実施の形態では、６つの径方向傾斜面１２はそれぞれ、外容器３に対する相対的な左回り方向の底蓋４の回転によって収容部９に収容された取出し具６の先端部６ａを径方向内側に押し込むように左回り方向に向かって径方向外側に傾いている。また、６つの径方向傾斜面１２は、上下方向傾斜面１０の頂部のそれぞれに１つずつ設けられている。
【００２４】
したがって、取出し具６は、外容器３に対する相対的な左回り方向の底蓋４の回転により、６つの上下方向傾斜面１０のうちの１つに押し上げられて基端部６ｂが内口部２ｃから突出するとともにその突出に次いで、その上下方向傾斜面１０の頂部に位置する径方向傾斜面１２に先端部６ａが径方向内側に押込まれて、図６に示すように、摘み部となる基端部６ｂが口部７ａから離れるように取出し具６を傾けることができる。したがって、収容部９からの取出し具６の取出しを容易にすることができる。
【００２５】
取出し具６は、内容物を取出すためのスパチュラ（へら）として構成されている。本実施の形態の取出し具付き容器１は、クリーム状やジェル状の化粧品や食品等を内容物とする場合に好適であるが、内容物はこれに限らない。なお、取出し具６は、スパチュラに限らず、内容物の種類等に応じてその形態は適宜変更が可能である。
【００２６】
取出し具６は、細長い板状をなしており、摘み部となる基端部６ｂと、内容物と接する部分となる先端部６ａとを有している。また、取出し具６は、長手方向中間部における両側面にそれぞれ突起６ｃを有している。この一対の突起６ｃは、上下方向傾斜面１０によって取出し具６が押上げられることで、例えば、取出し具６の弾性変形によって挿入口８から上方に抜け出すとともにこの弾性変形からの復元によって挿入口８に係止される被係止部１３を構成している。このように、取出し具６は、挿入口８に係止される被係止部１３を有している。一対の規制リブ８ａや挿入口８の内周縁に係止突起を設け、この係止突起により取出し具６の被係止部１３を係止するように構成してもよい。また、取出し具６は、長手方向軸線に沿って延在する溝６ｄを有している。溝６ｄは、取出し具６の幅方向中央に配置されている。また、溝６ｄは、長手方向中間部のみに設けられている。取出し具６が溝６ｄを有することにより、被係止部１３が挿入口８を上方または下方に乗越えるときに取出し具６が溝６ｄを起点として屈曲するように弾性変形し易くすることができるとともに、取出し具６全体としての厚みを確保して、内容物を掬い上げるための剛性を容易に確保することができる。取出し具６は、溝６ｄを起点とする屈曲変形を誘起するように湾曲した横断面形状を有している。また、溝６ｄは、屈曲の山側となる面に設けられている。なお、溝６ｄは、図７に示すように、長手方向中間部から基端面まで延在する構成であってもよい。また、図８に示すように、取出し具６は、屈曲した横断面形状を有していてもよいし、溝６ｄは、屈曲の谷側となる面に設けてもよい。また、溝６ｄを設けない構成としてもよい。なお、先端部６ａの表面には、掬った内容物を保持するための凹部６ｅが設けられている。
【００２７】
図５に示すように、取出し具６が上下方向傾斜面１０によって押し上げられて被係止部１３が挿入口８を一旦上方に乗越えると、底蓋４のさらなる左回り方向の回転によって上下方向傾斜面１０及び径方向傾斜面１２が取出し具６の下端面から離れたときに、被係止部１３が挿入口８に係止され、それにより、取出し具６が収容部９内に落下してしまうことが防止される。なお、被係止部１３は、本実施の形態では取出し具６の両側部に設けられた一対の突起６ｃで構成しているが、その形状及び配置はこれに限らない。また、被係止部１３を設けない構成としてもよい。
【００２８】
本実施の形態では、６０°毎に上下方向傾斜面１０及び径方向傾斜面１２を設けているので、少ない回転操作によって取出し具６を取出すことができる。なお、上下方向傾斜面１０及び径方向傾斜面１２の数は適宜変更が可能であり、例えば、上下方向傾斜面１０及び径方向傾斜面１２をそれぞれ１つのみ設けてもよいし、径方向傾斜面１２を設けない構成としてもよい。
【００２９】
また、本実施の形態では、底蓋４と外容器３との間にラチェット機構１４を設け、外容器３に対する相対的な底蓋４の左回り方向への回転は許容するがその逆方向への回転は阻止するようにしている。なお、このようなラチェット機構１４を設けない構成としてもよい。ラチェット機構１４は、底蓋４の底板４ａと外容器３の内向きフランジ３ｂとの間に設けられている。図４に示すように、底板４ａの上面には、左回り方向に向かって下方に傾斜する上面を有する６つの傾斜凸部１４ａが、周方向に等しい間隔で並ぶように一体に設けられている。なお、図４においては、便宜上、１つの傾斜凸部１４ａのみに符号を付している。また、図３に示すように、内向きフランジ３ｂには、基端部（片持ち支持部）から左回り方向に延在する上面視円弧状の片持ち梁状の２つの弾性片１４ｂが、周方向に等しい間隔で並ぶように一体に設けられている。なお、図３においては、便宜上、１つの弾性片１４ｂのみに符号を付している。２つの弾性片１４ｂはそれぞれ、基端部から先端部に向かって下方に傾く形状に形成されているが、例えば図２に示す状態では、その下面が傾斜凸部１４ａに押上げられて、内向きフランジ３ｂと同一平面上に位置するように弾性変位している。２つの弾性片１４ｂはそれぞれ、その下面に接触する傾斜凸部１４ａが左回り方向に移動してその下面から離れることで、下方へ復元変位し、その先端面が傾斜凸部１４ａの側面に当接して底蓋が逆方向に移動することを阻止することができる。なお、傾斜凸部１４ａ及び弾性片１４ｂの数は、適宜変更が可能である。
【００３０】
また、具体的な構造は図示しないが、本実施の形態では、底蓋４と外容器３との間に、外容器３に対する相対的な底蓋４の左回り方向への６０°の回転毎に、その回転を停止させる方向の反力や節度感を与える係合構造（ストッパー）を設け、回転操作により、取出し具６が収容状態から取出し準備状態となり、取出し具６をその使用後に再度収容状態にできる位置まで底蓋４が外容器３に対して相対回転したときにその回転を停止させ、あるいは節度感を与えるようになっている。したがって、取出し具６の押上げ操作が、取出し具６の先端部６ａが上下方向傾斜面１０の周方向中間部に接触した状態で終了してしまうことを抑制することができる。また、使用後の取出し具６をスムーズに収容状態に戻すことができる。なお、このような係合構造を設けない構成としてもよい。このような係合構造は、例えば、底蓋４と外容器３とにそれぞれ、所定の回転操作力によって互いに乗越え可能なアンダーカット形状（凸部等）を設けることで構成することができる。
【００３１】
本発明は前記実施の形態に限定されるものではなく、その要旨を逸脱しない範囲で種々変更可能であることはいうまでもない。
【００３２】
例えば、前記の実施形態では、上蓋５は、外容器３に装着されたときに内口部２ｃと挿入口８から突出した取出し具６の基端部６ｂとを覆うように構成されているが、これに限らず、外容器３に装着されたときに挿入口８から突出した取出し具６の基端部６ｂを覆わずに内口部２ｃだけを覆うように構成されてもよい。また、上蓋５を設けない構成としてもよい。
【００３３】
また、前記の実施形態では、上下方向傾斜面１０は、外容器３に対する相対的な左回り方向の底蓋４の回転によって収容部９に収容された取出し具６の先端部６ａを押上げるように左回り方向に向かって下方に傾いているが、これに限らず、外容器３に対する相対的な右回り方向の底蓋４の回転によって収容部９に収容された取出し具６の先端部６ａを押上げるように右回り方向に向かって下方に傾いていてもよい。その際、ラチェット機構１４を設ける場合にはその回転方向も逆向きに設定すればよい。
【符号の説明】
【００３４】
１    取出し具付き容器
２    内容器
２ａ  筒壁
２ｂ  底壁
２ｃ  内口部
２ｄ  嵌合筒
２ｅ  回り止めリブ
３    外容器
３ａ  内周壁
３ｂ  内向きフランジ
３ｃ  フランジ
３ｄ  中間周壁
３ｅ  段部
３ｆ  外周壁
３ｇ  傾斜壁
３ｈ  外口部
３ｉ  雄ねじ
４    底蓋
４ａ  底板
４ｂ  取付け筒
４ｃ  切欠き
４ｄ  外筒
５    上蓋
５ａ  側壁
５ｂ  頂壁
５ｃ  雌ねじ
５ｄ  パッキン
６    取出し具
６ａ  先端部
６ｂ  基端部
６ｃ  突起
６ｄ  溝
７    容器本体
７ａ  口部
８    挿入口
８ａ  規制リブ
９    収容部
１０    上下方向傾斜面
１１    リブ
１２    径方向傾斜面
１３    被係止部
１４    ラチェット機構
１４ａ  傾斜凸部
１４ｂ  弾性片
Ｏ    軸心
【図１】
2020183236.tif 000003
【図２】
2020183236.tif 000004
【図３】
2020183236.tif 000005
【図４】
2020183236.tif 000006
【図５】
2020183236.tif 000007
【図６】
2020183236.tif 000008
【図７】
2020183236.tif 000009
【図８】
2020183236.tif 000010